(57)【要約】【課題】検出対象の状況が所定の状況であった場合には、配信装置から配信された第１のコンテンツに代えて、第１のコンテンツとは異なる第２のコンテンツを出力する。【解決手段】スピーカ装置は、配信装置から配信されてきた楽音データのうち、自装置のＩＰアドレス宛に配信されてきたＢＧＭの楽音データを受信する。そして、スピーカ装置に対応する位置に設置された絵画Ｐを鑑賞する人がいない場合には、受信した楽音データ音を放音する。一方、スピーカ装置に対応する位置に設置された絵画Ｐを鑑賞する人がいる場合には、その人を検出し、その絵画Ｐを説明するための音声データを記憶部から読み出し、その音声データに応じた音を放音する。【選択図】図２
2008304782.tif 000002
【特許請求の範囲】
【請求項１】
検出対象の状況を検出し、その検出状況に応じた検出情報を出力する検出手段と、
配信装置から配信されてきた第１のコンテンツデータのうち、自装置宛に配信されてきた第１のコンテンツデータを受信する受信手段と、
前記第１のコンテンツデータとは異なる第２のコンテンツデータを記憶する記憶手段と、
前記受信手段によって受信された前記第１のコンテンツデータに応じたコンテンツを出力する出力手段と、
前記検出手段から出力された検出情報が表す検出状況が所定の状況であった場合には、前記記憶手段に記憶されている前記第２のコンテンツデータに応じたコンテンツを前記出力手段から出力させる出力切替手段と
を備えることを特徴とするコンテンツ出力装置。
【請求項２】
前記検出手段は、所定の範囲内にいる人体を検出し、
前記所定の範囲内にいる人体の位置を検出し、当該位置を表す位置情報を出力する位置検出手段と、
前記位置検出手段から出力された前記位置情報が表す位置に、自装置をレールに沿って移動させる移動手段と
を備えることを特徴とする請求項１記載のコンテンツ出力装置。
【請求項３】
前記受信手段は、配信装置から配信されてきた第１のオーディオデータのうち、自装置宛に配信されてきた第１のオーディオデータを受信し、
前記記憶手段は、前記第１のオーディオデータとは異なる第２のオーディオデータを記憶し、
前記出力手段は、前記受信手段によって受信された前記第１のオーディオデータに応じた音を出力し、
前記出力切替手段は、前記検出手段から出力された検出情報が表す検出状況が所定の状況であった場合には、前記受信手段によって受信された前記第１のオーディオデータと、前記記憶手段に記憶されている前記第２のオーディオデータとを重ね合わせた音を前記出力手段から出力させる
ことを特徴とする請求項１記載のコンテンツ出力装置。
【請求項４】
前記検出手段は、所定の範囲内にいる人体の数を検出し、検出した人体の数に応じた検出情報を出力し、
前記検出手段によって出力された前記検出情報と、当該検出手段が前記人体の数を検出した時刻を表す時刻情報とを集計装置に送信する送信手段を備える
ことを特徴とする請求項１記載のコンテンツ出力装置。
【請求項５】
前記検出手段から出力された前記検出情報を、他のコンテンツ出力装置に送信する送信手段を備え、
前記出力切替手段は、他のコンテンツ出力装置の前記送信手段から送信されてきた前記検出情報に応じて前記第２のコンテンツデータを選択し、選択した当該第２のコンテンツデータに応じたコンテンツを前記出力手段から出力させる
ことを特徴とする請求項１記載のコンテンツ出力装置。
【請求項６】
コンテンツ出力装置と、コンテンツデータ格納装置とを備え、
前記コンテンツ出力装置は、
検出対象の状況を検出し、その検出状況に応じた検出情報を出力する検出手段と、
前記検出手段から出力された検出情報と、自装置を識別する識別情報とを前記コンテンツデータ格納装置に送信する第１の送信手段と、
配信装置から配信されてきた第１のコンテンツデータのうち、自装置宛に配信されてきた第１のコンテンツデータを受信する受信手段と、
前記第１のコンテンツデータとは異なる第２のコンテンツデータを記憶する記憶手段と、
前記受信手段によって受信された前記第１のコンテンツデータに応じたコンテンツを出力する出力手段と、
前記検出手段から出力された検出情報が表す検出状況が所定の状況であった場合には、前記記憶手段に記憶されている前記第２のコンテンツデータに応じたコンテンツを前記出力手段から出力させる出力切替手段とを備え、
前記コンテンツデータ格納装置は、
各々のコンテンツ出力装置を識別する識別情報と、前記第１のコンテンツデータとは異なる第２のコンテンツデータとを対応付けて格納する格納手段と、
前記コンテンツ出力装置の前記第１の送信手段から前記検出情報と前記識別情報とが送信されてくると、送信されてきた識別情報に対応付けられて前記格納手段に格納されている前記第２のコンテンツデータを、当該識別情報によって識別されるコンテンツ出力装置に送信する第２の送信手段とを備える
ことを特徴とするコンテンツデータ配信システム。
【請求項７】
配信装置と、請求項１から５のいずれか１項に記載のコンテンツ出力装置とを備え、
前記配信装置は、
各々のコンテンツ出力装置を識別する識別情報と、第１のコンテンツデータとを対応付けて格納する格納手段と、
前記格納手段に格納されている前記第１のコンテンツデータを、当該第１のコンテンツデータに対応付けられた識別情報によって識別されるコンテンツ出力装置宛に配信する配信手段とを備える
ことを特徴とするコンテンツデータ配信システム。
【発明の詳細な説明】
【技術分野】
【０００１】
本発明は、コンテンツデータを配信する技術に関する。
【背景技術】
【０００２】
飲食店や服飾店等の店舗施設では、有線放送によってバックグラウンドミュージック（以下「ＢＧＭ」という）を流すのが一般的である。しかしながら、ＢＧＭ再生に有線放送を利用するためには、有線放送の受信機器を設置する手間やコストが必要であるため、導入が容易でないという問題があった。また、有線放送では、どの曲を何時に演奏するかなどのスケジュールは全く放送局側にゆだねられているから、利用者の好みでＢＧＭを流すことが困難であった。
【０００３】
そこで、特許文献１には、有線放送のように放送局側が作成したプログラムではなく、利用者が自ら作成したプログラムに基づいてＢＧＭを放音することができるＢＧＭ端末装置が提案されている。この装置によれば、利用者が自ら作成したプログラムに基づいてＢＧＭを流すことができる。
【特許文献１】特開平９−２４７１０５号公報
【発明の開示】
【発明が解決しようとする課題】
【０００４】
ところで、美術館やアミューズメントパークなどの施設では、所定の場所に人がいない場合には上述したＢＧＭを流し、所定の場所に人が来た場合には、ＢＧＭとは異なる音楽や音声を流すことが望まれている。例えば、美術館において、展示されている絵画を鑑賞する場所に人が来た場合には、その絵画の近傍に設置されているスピーカ装置から、ＢＧＭに代えて絵画を説明する音声が流れると便利である。
本発明はこのような背景に鑑みてなされたものであり、検出対象の状況が所定の状況であった場合には、配信装置から配信された第１のコンテンツに代えて、第１のコンテンツとは異なる第２のコンテンツを出力することを目的とする。
【課題を解決するための手段】
【０００５】
上述した課題を解決するため、本発明は、検出対象の状況を検出し、その検出状況に応じた検出情報を出力する検出手段と、配信装置から配信されてきた第１のコンテンツデータのうち、自装置宛に配信されてきた第１のコンテンツデータを受信する受信手段と、前記第１のコンテンツデータとは異なる第２のコンテンツデータを記憶する記憶手段と、前記受信手段によって受信された前記第１のコンテンツデータに応じたコンテンツを出力する出力手段と、前記検出手段から出力された検出情報が表す検出状況が所定の状況であった場合には、前記記憶手段に記憶されている前記第２のコンテンツデータに応じたコンテンツを前記出力手段から出力させる出力切替手段とを備えることを特徴とするコンテンツ出力装置を提供する。
【０００６】
本発明の好ましい態様において、前記検出手段は、所定の範囲内にいる人体を検出し、前記所定の範囲内にいる人体の位置を検出し、当該位置を表す位置情報を出力する位置検出手段と、前記位置検出手段から出力された前記位置情報が表す位置に、自装置をレールに沿って移動させる移動手段とを備えてもよい。
【０００７】
本発明の好ましい態様において、前記受信手段は、配信装置から配信されてきた第１のオーディオデータのうち、自装置宛に配信されてきた第１のオーディオデータを受信し、前記記憶手段は、前記第１のオーディオデータとは異なる第２のオーディオデータを記憶し、前記出力手段は、前記受信手段によって受信された前記第１のオーディオデータに応じた音を出力し、前記出力切替手段は、前記検出手段から出力された検出情報が表す検出状況が所定の状況であった場合には、前記受信手段によって受信された前記第１のオーディオデータと、前記記憶手段に記憶されている前記第２のオーディオデータとを重ね合わせた音を前記出力手段から出力させてもよい。
【０００８】
本発明の好ましい態様において、前記検出手段は、所定の範囲内にいる人体の数を検出し、検出した人体の数に応じた検出情報を出力し、前記検出手段によって出力された前記検出情報と、当該検出手段が前記人体の数を検出した時刻を表す時刻情報とを集計装置に送信する送信手段を備えてもよい。
【０００９】
本発明の好ましい態様においては、前記検出手段から出力された前記検出情報を、他のコンテンツ出力装置に送信する送信手段を備え、前記出力切替手段は、他のコンテンツ出力装置の前記送信手段から送信されてきた前記検出情報に応じて前記第２のコンテンツデータを選択し、選択した当該第２のコンテンツデータに応じたコンテンツを前記出力手段から出力させてもよい。
【００１０】
また、本発明は、コンテンツ出力装置と、コンテンツデータ格納装置とを備え、前記コンテンツ出力装置は、検出対象の状況を検出し、その検出状況に応じた検出情報を出力する検出手段と、前記検出手段から出力された検出情報と、自装置を識別する識別情報とを前記コンテンツデータ格納装置に送信する第１の送信手段と、配信装置から配信されてきた第１のコンテンツデータのうち、自装置宛に配信されてきた第１のコンテンツデータを受信する受信手段と、前記第１のコンテンツデータとは異なる第２のコンテンツデータを記憶する記憶手段と、前記受信手段によって受信された前記第１のコンテンツデータに応じたコンテンツを出力する出力手段と、前記検出手段から出力された検出情報が表す検出状況が所定の状況であった場合には、前記記憶手段に記憶されている前記第２のコンテンツデータに応じたコンテンツを前記出力手段から出力させる出力切替手段とを備え、前記コンテンツデータ格納装置は、各々のコンテンツ出力装置を識別する識別情報と、前記第１のコンテンツデータとは異なる第２のコンテンツデータとを対応付けて格納する格納手段と、前記コンテンツ出力装置の前記第１の送信手段から前記検出情報と前記識別情報とが送信されてくると、送信されてきた識別情報に対応付けられて前記格納手段に格納されている前記第２のコンテンツデータを、当該識別情報によって識別されるコンテンツ出力装置に送信する第２の送信手段とを備えることを特徴とするコンテンツデータ配信システムを提供する。
【００１１】
また、本発明は、配信装置と、上記コンテンツ出力装置とを備え、前記配信装置は、各々のコンテンツ出力装置を識別する識別情報と、第１のコンテンツデータとを対応付けて格納する格納手段と、前記格納手段に格納されている前記第１のコンテンツデータを、当該第１のコンテンツデータに対応付けられた識別情報によって識別されるコンテンツ出力装置宛に配信する配信手段とを備えることを特徴とするコンテンツデータ配信システムを提供する。
【発明の効果】
【００１２】
本発明によれば、検出対象の状況が所定の状況であった場合には、配信装置から配信された第１のコンテンツに代えて、第１のコンテンツとは異なる第２のコンテンツを出力することができる。
【発明を実施するための最良の形態】
【００１３】
［実施形態］
まず、図１を参照して、本発明に係るオーディオデータ配信システム１について説明する。図に示すように、オーディオデータ配信システム１は、配信装置１０とＰＬＣ専用アダプタ２０とがインターネットや専用回線等のネットワークを介して接続されており、ＰＬＣ専用アダプタ２０には、複数のスピーカ装置３０が電力線を介して接続されている。このオーディオデータ配信システム１においては、バックグラウンドミュージック（以下「ＢＧＭ」）等の楽音データが配信装置１０から複数のスピーカ装置３０に配信され、配信された楽音データに応じた楽音が各々のスピーカ装置３０から放音される。
【００１４】
図２は、上述したスピーカ装置３０が、美術館内のある部屋に設置された様子を示す図である。各々のスピーカ装置３０は、電力線を覆う給電レール４０に取り付けられて設置されており、電力線から供給される電力により各部が駆動される。図の例では、スピーカ装置３０ａ〜ｅはそれぞれ、部屋の壁面Ｗに掛けられて展示されている絵画Ｐａ〜Ｐｅに対応する位置に設置されている。なお、以下の説明において、特に区別の必要がない場合には、スピーカ装置３０ａ〜ｅを総称して「スピーカ装置３０」という。
【００１５】
各々のスピーカ装置３０には、予め異なるＩＰアドレスが割り当てられている。この例では、スピーカ装置３０ａには「ａａａ．ｂｂｂ．１０．１」というＩＰアドレスが割り当てられ、スピーカ装置３０ｂには「ａａａ．ｂｂｂ．１０．２」というＩＰアドレスが、スピーカ装置３０ｃには「ａａａ．ｂｂｂ．１０．３」というＩＰアドレスが割り当てられている。なお、この図では、ひとつの部屋についてのみスピーカ装置３０が設置されている様子が示されているが、美術館内の他の部屋にも同様に複数のスピーカ装置３０が設置されている。
【００１６】
次に、図３を参照して、配信装置１０の構成について説明する。制御部１１は、ＣＰＵとメモリとを備え、メモリ又は記憶部１５に記憶されているプログラムを読み出して実行することにより、バスを介して配信装置１０の各部を制御する。また、この制御部１１は、時刻を計測する計時機能を有している。通信部１２は、ネットワーク、ＰＬＣ専用アダプタ２０及び電力線を介して接続されたスピーカ装置３０と通信を行うためのインタフェースである。表示部１３は、例えば液晶ディスプレイであり、制御部１１の制御に従って各種の画像を表示する。操作部１４は、例えばキーボードとマウスであり、利用者による操作に応じた操作信号を制御部１１に供給する。
【００１７】
記憶部１５は、例えばハードディスクであり、制御部１１によって実行されるプログラムを格納する記憶領域の他に、楽音データベース記憶領域１５ａと配信テーブル記憶領域１５ｂとを有している。楽音データベース記憶領域１５ａには、例えばＢＧＭを表す複数の楽音データ（第１のコンテンツデータ）が格納されており、各々の楽音データにはその曲名が付加されている。この楽音データベース記憶領域１５ａには、例えば「楽曲０１」，「楽曲０２」，「楽曲０３」，「楽曲０４」，「楽曲０５」という曲名の楽音データが格納されている。
【００１８】
配信テーブル記憶領域１５ｂには、上述した楽音データベース記憶領域１５ａに記憶されている楽音データを各々のスピーカ装置３０に配信するための配信テーブルＴが記憶されている。図４は、配信テーブルＴの一例を示す図である。この配信テーブルＴにおいては、予め決められた時間帯と、スピーカ装置３０のＩＰアドレスと、楽音データの曲名とが対応付けられている。この図では、「１０：００〜１１：００」の時間帯には、ＩＰアドレスが「ａａａ．ｂｂｂ．１０．１」であるスピーカ装置３０ａ、ＩＰアドレスが「ａａａ．ｂｂｂ．１０．２」であるスピーカ装置３０ｂ、及び、ＩＰアドレスが「ａａａ．ｂｂｂ．１０．３」であるスピーカ装置３０ｃに、それぞれ「楽曲０１」という曲名の楽音データが配信される例が示されている。また、「１１：００〜１１：１０」の時間帯では、ＩＰアドレスが「ａａａ．ｂｂｂ．１０．１」であるスピーカ装置３０ａには「楽曲０２」という曲名の楽音データが配信され、ＩＰアドレスが「ａａａ．ｂｂｂ．１０．２」であるスピーカ装置３０ｂ、及び、ＩＰアドレスが「ａａａ．ｂｂｂ．１０．３」であるスピーカ装置３０ｃには、それぞれ「楽曲０３」という曲名の楽音データが配信される例が示されている。
【００１９】
ＰＬＣ専用アダプタ２０は、配信装置１０又はスピーカ装置３０から送信されてきたデータをＰＬＣ（Power Line Communications）方式で転送する。詳細に説明すると、ＰＬＣ専用アダプタ２０は、配信装置１０からネットワークを介して楽音データが配信されてくると、その楽音データを示す信号を商用電力に重畳させて、電力線を介してスピーカ装置３０に供給する。また、ＰＬＣ専用アダプタ２０は、スピーカ装置３０から電力線を介して商用電力が供給されると、その電力に重畳された信号を抽出し、抽出した信号が示すデータをネットワークを介して配信装置１０に転送する。
【００２０】
次に、図５を参照して、スピーカ装置３０の構成について説明する。なお、スピーカ装置３０を構成する各部には電力線からの電力が供給されるが、図においては、図面が煩雑になるのを防ぐため、給電ラインは省略している。記憶部３１は、例えばフラッシュメモリであり、ＩＰアドレス記憶領域３１ａと、音声データ記憶領域３１ｂとを有している。ＩＰアドレス記憶領域３１ａには、自装置に予め割り当てられたＩＰアドレスが記憶されている。例えば、スピーカ装置３０ａの記憶部３１のＩＰアドレス記憶領域３１ａには、「ａａａ．ｂｂｂ．１０．１」というＩＰアドレスが記憶されており、スピーカ装置３０ｂの記憶部３１のＩＰアドレス記憶領域３１ａには「ａａａ．ｂｂｂ．１０．２」というＩＰアドレスが、スピーカ装置３０ｃの記憶部３１のＩＰアドレス記憶領域３１ａには「ａａａ．ｂｂｂ．１０．３」というＩＰアドレスが記憶されている。
【００２１】
音声データ記憶領域３１ｂには、配信装置１０から配信される楽音データとは異なる音声データ（第２のコンテンツデータ）が記憶されている。この音声データ記憶領域３１ｂには、自装置と対応する位置に展示されている絵画を説明するための音声データが記憶されている。例えば、図２に示したスピーカ装置３０ａの記憶部３１の音声データ記憶領域３１ｂには、スピーカ装置３０ａと対応する位置に展示されている絵画Ｐａを説明するための音声データが記憶されている。同様にして、スピーカ装置３０ｂの記憶部３１の音声データ記憶領域３１ｂには、絵画Ｐｂを説明するための音声データが記憶されており、スピーカ装置３０ｃの記憶部３１の音声データ記憶領域３１ｂには、絵画Ｐｃを説明するための音声データが記憶されている。
【００２２】
検出部３２は、所定の検出範囲内にいる人体を検出すると、人体を検出したことを表す検出情報を出力する。この検出部３２は、例えば、所定の検出範囲に光を照射し、その反射光の変化量によってその検出範囲内にいる人体を検出する反射型の光センサである。図２においては、スピーカ装置３０ａ〜ｅの検出部３２の検出範囲が、検出範囲Ｓａ〜Ｓｅとして表されている。例えば、スピーカ装置３０ａの検出部３２は、検出範囲Ｓａ内に人がいると、その人を検出して、人を検出したことを表す検出情報を出力する。すなわち、スピーカ装置３０ａの検出部３２は、絵画Ｐａを鑑賞するために検出範囲Ｓａ内に立ち入った人を検出することになる。同様にして、スピーカ装置３０ｂの検出部３２は、絵画Ｐｂを鑑賞するために検出範囲Ｓｂ内に立ち入った人を検出し、スピーカ装置３０ｃの検出部３２は、絵画Ｐｃを鑑賞するために検出範囲Ｓｃ内に立ち入った人を検出する。取得部３３は、検出部３２から人体を検出したことを表す検出情報が出力された場合には、記憶部３１の音声データ記憶領域３１ｂに記憶されている音声データを読み出し、読み出した音声データをＤ／Ａ（Digital / Analog）変換部３６に供給する。
【００２３】
受信部３４は、電力線を介して供給される電力に重畳された楽音データを抽出し、抽出した楽音データの宛先となるＩＰアドレスを検出する。そして、受信部３４は、このＩＰアドレスが、記憶部３１のＩＰアドレス記憶領域３１ａに記憶されているＩＰアドレスと一致するか否かを判定し、一致する場合には、抽出した楽音データをデータバッファ３５に供給する。データバッファ３５は、受信部３４から供給された楽音データを一時的に記憶し、所定量蓄積した楽音データをＤ／Ａ変換部３６に供給する。
【００２４】
Ｄ／Ａ変換部３６は、データバッファ３５から供給された楽音データ、又は、取得部３３から供給された音声データをアナログ信号に変換する。オーディオ信号再生部３７は、Ｄ／Ａ変換部３６から出力されるアナログ信号を増幅し、スピーカ３８に供給することによってスピーカ３８を駆動する。スピーカ３８は、オーディオ信号再生部３７から供給されるアナログ信号に応じて放音する。
【００２５】
次に、オーディオデータ配信システム１の動作について説明する。
まず、配信装置１０が楽音データを配信する動作について説明する。配信装置１０の制御部１１は、記憶部１５の配信テーブル記憶領域１５ｂに記憶されている配信テーブルＴに基づいて、スピーカ装置３０に楽音データを配信する。例えば、図４に示した配信テーブルＴが記憶部１５の配信テーブル記憶領域１５ｂに記憶されている場合、計測していた時刻が１１：００になると、制御部１１は、「楽曲０２」という曲名の楽音データを記憶部１５の楽音データベース記憶領域１５ａから読み出して、「ａａａ．ｂｂｂ．１０．１」というＩＰアドレス宛に配信するとともに、「楽曲０３」という曲名の楽音データを記憶部１５の楽音データベース記憶領域１５ａから読み出して、「ａａａ．ｂｂｂ．１０．２」というＩＰアドレスと、「ａａａ．ｂｂｂ．１０．３」というＩＰアドレス宛に配信する。配信装置１０から配信されたこれらの楽音データは、ＰＬＣ専用アダプタ２０によって、商用電力に重畳されて、電力線を介してスピーカ装置３０に供給される。
【００２６】
続いて、図６を参照して、スピーカ装置３０が自装置宛に配信された楽音データを受信し、受信した楽音データに応じた楽音を放音する動作について説明する。スピーカ装置３０は、ＰＬＣ専用アダプタ２０から商用電力が供給されると、受信部３４を用いて、その電力に重畳された楽音データを抽出する（ステップＳ１００）。例えば、ＰＬＣ専用アダプタ２０から供給された電力に、配信装置１０から配信された「楽曲０２」という曲名の楽音データが重畳されている場合には、この「楽曲０２」という曲名の楽音データが抽出される。
【００２７】
続いて、スピーカ装置３０は、抽出した楽音データのうち自装置宛に配信された楽音データを受信する（ステップＳ１１０）。詳細に説明すると、まずスピーカ装置３０の受信部３４は、ステップＳ１００にて抽出した楽音データの配信先であるＩＰアドレスを取得する。そして、受信部３４は、取得したＩＰアドレスと、記憶部３１のＩＰアドレス記憶領域３１ａに記憶されているＩＰアドレスとが一致するか否かを判断する。双方のＩＰアドレスが一致する場合、受信部３４は、抽出した楽音データをデータバッファ３５に供給する。一方、双方のＩＰアドレスが一致しない場合、受信部３４は、抽出した楽音データをデータバッファ３５に供給せずに破棄する。
【００２８】
例えば、ステップＳ１００において、配信装置１０から「ａａａ．ｂｂｂ．１０．１」というＩＰアドレス宛に配信された「楽曲０２」という曲名の楽音データが抽出された場合を想定する。その場合、例えばスピーカ装置３０ａの受信部３４は、まず、この楽音データの配信先である「ａａａ．ｂｂｂ．１０．１」というＩＰアドレスを取得する。そして、受信部３４は、取得したＩＰアドレスと、記憶部３１のＩＰアドレス記憶領域３１ａに記憶されているＩＰアドレス「ａａａ．ｂｂｂ．１０．１」とが一致するか否かを判断する。この例では、双方のＩＰアドレスが一致するため、受信部３４は、抽出された「楽曲０２」という曲名の楽音データをデータバッファ３５に供給する。一方、例えばスピーカ装置３０ｂ，ｃにおいては、この楽音データの配信先であるＩＰアドレス「ａａａ．ｂｂｂ．１０．１」と、記憶部３１のＩＰアドレス記憶領域３１ａに記憶されているＩＰアドレスとが一致しない。そのため、スピーカ装置３０ｂ，ｃの受信部３４は、抽出された「楽曲０２」という曲名の楽音データをデータバッファ３５に供給せずに破棄する。
【００２９】
同様にして、例えばステップＳ１００において、配信装置１０から「ａａａ．ｂｂｂ．１０．２」，「ａａａ．ｂｂｂ．１０．３」というＩＰアドレス宛に配信された「楽曲０３」という曲名の楽音データが抽出された場合、スピーカ装置３０ｂ，ｃの受信部３４は、抽出された「楽曲０３」という曲名の楽音データをデータバッファ３５に供給する。これに対し、スピーカ装置３０ａの受信部３４は、抽出された「楽曲０３」という曲名の楽音データをデータバッファ３５に供給せずに破棄する。このようにして、各々のスピーカ装置３０は、配信装置１０から自装置宛に配信された楽音データを受信する。
【００３０】
続いて、スピーカ装置３０は、検出部３２から人を検出したことを表す検出情報が出力されたか否かを判断する（ステップＳ１２０）。例えば、検出範囲内に人がいない場合、検出部３２からは検出情報が出力されないため（ステップＳ１２０：ＮＯ）、スピーカ装置３０は、データバッファ３５から供給された楽音データ、すなわち配信装置１０から配信されて、受信部３４によって受信された楽音データに応じた楽音を放音する（ステップＳ１３０）。例えば、図２に示した検出範囲Ｓａ内に人がいない場合、スピーカ装置３０ａの検出部３２からは検出情報が出力されないため、スピーカ装置３０ａのＤ／Ａ変換部３６は、データバッファ３５から供給された「楽音０２」という楽音データをアナログ信号であるオーディオ信号に変換する。続いて、スピーカ装置３０ａのオーディオ信号再生部３７は、Ｄ／Ａ変換部３６によって変換されたオーディオ信号を所定量増幅させ、スピーカ３８は、オーディオ信号再生部３７によって増幅されたオーディオ信号に応じた「楽音０２」という曲名の楽音を放音する。
同様にして、検出範囲Ｓｂ内に人がいない場合には、スピーカ装置３０ｂのスピーカ３８から、配信装置１０から配信された「楽音０３」という曲名の楽音データに応じた楽音が放音される。また、検出範囲Ｓｃ内に人がいない場合には、スピーカ装置３０ｃのスピーカ３８から、配信装置１０から配信された「楽音０３」という曲名の楽音データに応じた楽音が放音される。
【００３１】
これに対し、検出部３２の検出範囲内に人がいる場合には、検出部３２から人を検出したことを表す検出情報が出力されるため（ステップＳ１２０：ＹＥＳ）、スピーカ装置３０は、取得部３３を用いて、記憶部３１の音声データ記憶領域３１ｂから音声データを取得する（ステップＳ１４０）。そして、スピーカ装置３０は、取得した音声データ、すなわち記憶部３１の音声データ記憶領域３１ｂに記憶されている音声データに応じた音声を放音する（ステップＳ１５０）。例えば、図２に示した絵画Ｐａを鑑賞するために検出範囲Ｓａ内に人がやってきたとすると、スピーカ装置３０ａの検出部３２は、その人を検出して、人を検出したことを表す検出情報を出力する。検出部３２から人を検出したことを表す検出情報が出力されると、スピーカ装置３０ａの取得部３３は、記憶部３１の音声データ記憶領域３１ｂに記憶されている音声データを読み出し、Ｄ／Ａ変換部３６に供給する。スピーカ装置３０ａのＤ／Ａ変換部３６は、取得部３３から供給された音声データをアナログ信号であるオーディオ信号に変換する。続いて、スピーカ装置３０ａのオーディオ信号再生部３７は、Ｄ／Ａ変換部３６によって変換されたオーディオ信号を所定量増幅させ、スピーカ３８は、オーディオ信号再生部３７によって増幅されたオーディオ信号に応じた音声、すなわち絵画Ｐａを説明する音声を放音する。つまり、取得部３３は、検出部３２から出力される検出情報が人を検出したことを表すものである場合には、記憶部３１の音声データ記憶領域３１ｂに記憶されている音声データに応じた音声をスピーカ３８から放音させる出力切替手段としての役割を果たす。これにより、絵画Ｐａを鑑賞するために検出範囲Ｓａにいる人に対して、ＢＧＭに代えて絵画Ｐａを説明する音声を提供することができる。
【００３２】
そして、検出範囲Ｓａ内にいた人が移動して、検出範囲Ｓａの外に出ると、検出範囲Ｓａに人がいなくなるため、スピーカ装置３０ａの検出部３２からは検出情報が出力されなくなる。検出部３２から検出情報が出力されなくなると、スピーカ装置３０ａは、配信装置１０から配信されてデータバッファ３５に記憶されている「楽音０２」という曲名の楽音データに応じた楽音の放音を再開する。
【００３３】
以上説明した実施形態によれば、検出部３２の検出範囲内に人がいる場合には、サーバから配信されたＢＧＭに代えて、自装置と対応する位置に展示されている絵画Ｐを説明する音声を放音することができる。
【００３４】
［変形例］
以上が実施形態の説明であるが、この実施形態の内容は以下のように変形し得る。また、以下の各変形例を適宜組み合わせてもよい。
【００３５】
（１）上述した実施形態において、配信装置１０の記憶部１５には、ＢＧＭを表す複数の楽音データが記憶されており、スピーカ装置３０の記憶部３１には、自装置と対応する位置に展示されている絵画を説明するための音声データが記憶されていたが、これに限らない。
【００３６】
例えば、スピーカ装置３０が立ち入り禁止区域の手前に設置されている場合、スピーカ装置３０の記憶部３１には上述した音声データに代えて、「ここに入ってはいけません」という警告を発するための音声データが記憶されていてもよい。また、スピーカ装置３０が危険区域の手前に設置されている場合、スピーカ装置３０の記憶部３１には、「危険です」という警告を発するための音声データが記憶されていてもよい。これにより、立ち入り禁止区域や危険区域に立ち入ろうとしている人に警告を行うことができる。
【００３７】
また、スピーカ装置３０が販売店のショーウィンドウに設置されている場合、スピーカ装置３０の記憶部３１には、上述した音声データに代えて、ショーウィンドウに展示されている新作商品のプロモーションを行うための音声データが記憶されていてもよい。これにより、ショーウィンドウに展示されている新作商品のプロモーションを行うことができる。
【００３８】
また、スピーカ装置３０がアミューズメント施設内の人を癒すための空間に設置されている場合、スピーカ装置３０の記憶部３１には、上述した音声データに代えて、「コロンコロンコロン」という鈴などの癒し効果のある効果音を表すサウンドデータが記憶されていてもよい。これにより、癒しの空間を訪れる人に対して、癒し効果のある効果音を提供することができる。
【００３９】
要するに、スピーカ装置３０の記憶部３１に記憶される音声データは、検出部３２の検出範囲内にいる人に音を提供するためのオーディオデータであれば、どのようなオーディオデータが記憶されていても構わない。同様にして、配信装置１０の記憶部１５には、スピーカ装置３０に配信するためのオーディオデータであれば、例えば人間が発生した音声や楽器の演奏音などが記憶されていても構わない。
【００４０】
（２）上述した実施形態では、スピーカ装置３０の記憶部３１の音声データ記憶領域３１ｂには音声データが記憶されており、取得部３３は、記憶部３１に記憶されている音声データを読み出すことによって、音声データを取得していた。これに対し、音声データを格納する音声データ格納装置５０を別途設け、スピーカ装置３０の取得部３３が、この音声データ格納装置５０から音声データを取得してもよい。
【００４１】
図７は、この変形例に係るスピーカ装置３０の構成を示す図である。このスピーカ装置３０の記憶部３１は、音声データを記憶するための音声データ記憶領域３１ｂを備えずに、ＩＰアドレス記憶領域３１ａのみを有している。また、受信部３４は、配信装置１０から配信された楽音データに加えて、音声データ格納装置５０から送信された音声データを受信し、この音声データを記憶部３１に記憶させる。さらに、このスピーカ装置３０には、検出部３２から人体を検出したことを表す検出情報が出力されると、検出部３２から出力された検出情報と、記憶部３１のＩＰアドレス記憶領域３１ａに記憶されているＩＰアドレスとを音声データ格納装置５０に送信する送信部３９が設けられている。なお、スピーカ装置３０のその他の構成は、図５に示したスピーカ装置３０の構成と同様である。
【００４２】
音声データ格納装置５０は、電力線を介して複数のスピーカ装置３０と接続されている。図８は、音声データ格納装置５０の構成を示す図である。制御部５１は、ＣＰＵとメモリとを備え、メモリ又は記憶部５３に記憶されているプログラムを読み出して実行することにより、バスを介して音声データ格納装置５０の各部を制御する。通信部５２は、電力線を介して接続されたスピーカ装置３０と通信を行うためのインタフェースである。記憶部５３は、例えばハードディスクであり、制御部５１によって実行されるプログラムを格納する記憶領域の他に、音声データベース記憶領域５３ａを有している。音声データベース記憶領域５３ａには、各々のスピーカ装置３０に割り当てられたＩＰアドレスと、各スピーカ装置３０と対応する位置に展示されている絵画を説明するための音声データ（第２のコンテンツデータ）とが対応付けて格納されている。この音声データベース記憶領域５３ａには、例えば、スピーカ装置３０ａに割り当てられたＩＰアドレスである「ａａａ．ｂｂｂ．１０．１」と、スピーカ装置３０ａと対応する位置に展示されている絵画Ｐａを説明するための音声データとが対応付けられて格納されている。また、音声データベース記憶領域５３ａには、例えば、スピーカ装置３０ｂに割り当てられたＩＰアドレスである「ａａａ．ｂｂｂ．１０．２」と、絵画Ｐｂを説明するための音声データとが対応付けられ、スピーカ装置３０ｃに割り当てられたＩＰアドレスである「ａａａ．ｂｂｂ．１０．３」と、絵画Ｐｃを説明するための音声データとが対応付けられて格納されている。
【００４３】
次に、この変形例に係る動作について説明する。例えば、図２に示した検出範囲Ｓａに人がやってきた場合、スピーカ装置３０ａの検出部３２は、その人を検出して、人を検出したことを表す検出情報を出力する。検出部３２から人を検出したことを表す検出情報が出力されると、スピーカ装置ａの送信部３９は、検出部３２から出力された検出情報と、記憶部３１のＩＰアドレス記憶領域３１ａに記憶されている「ａａａ．ｂｂｂ．１０．１」というＩＰアドレスとを示す信号を商用電力に重畳させて、電力線を介して音声データ格納装置５０に送信する。
【００４４】
音声データ格納装置５０の制御部５１は、通信部５２を用いて、電力線を介して供給される商用電力に重畳された検出情報とＩＰアドレスとを抽出する。続いて、制御部５１は、抽出したＩＰアドレスと対応付けて格納されている音声データを、記憶部５３の音声データベース記憶領域５３ａから読み出す。そして、制御部５１は、読み出した音声データを商用電力に重畳させて、抽出したＩＰアドレス宛に送信する。例えば、スピーカ装置３０ａから、人を検出したことを表す検出情報と、スピーカ装置３０ａのＩＰアドレスである「ａａａ．ｂｂｂ．１０．１」とが商用電力に重畳されて送信されると、音声データ格納装置５０の制御部５１は、この検出情報とＩＰアドレスとを抽出する。続いて、制御部５１は、抽出した「ａａａ．ｂｂｂ．１０．１」というＩＰアドレスに対応付けて記憶されている、絵画Ｐａを説明するための音声データを記憶部５３の音声データベース記憶領域５３ａから読み出す。そして、制御部５１は、通信部５２を用いて、読み出した音声データを商用電力に重畳させて、「ａａａ．ｂｂｂ．１０．１」というＩＰアドレス宛に送信する。
【００４５】
スピーカ装置３０ａの受信部３４は、電力線を介して供給される商用電力に重畳された自装置のＩＰアドレス宛の音声データを抽出して、記憶部３１に記憶させる。そして、スピーカ装置３０は、取得部３３を用いて、記憶部３１に記憶されている音声データを読み出し、読み出した音声データに応じた音声を放音する。これにより、スピーカ装置３０ａのスピーカ３８から、絵画Ｐａを説明する音声が放音される。このような構成によれば、各スピーカ装置３０によって放音される音声データが音声データ格納装置５０に格納されているため、複数のスピーカ装置３０から放音される音声を変更する場合にも、その変更を容易に行うことができる。
【００４６】
（３）上述した実施形態では、スピーカ装置３０は単に給電レール４０に取り付けられていたが、スピーカ装置３０が人の移動に応じて給電レール４０に沿って移動してもよい。
図９は、給電レール４０に沿って移動可能に取り付けられたスピーカ装置３０を示す図である。このスピーカ装置３０には、自装置を給電レール４０に沿って図中の矢印方向に移動させるモータなどの駆動部（移動手段）が内蔵されている。また、給電レール４０には、スピーカ装置３０に接続された複数の検出部３２が所定の間隔で設けられている。この検出部３２は、検出範囲内にいる人体を検出するとともに、自身が設けられている位置、すなわちその検出範囲内にいる人体の位置に相当する位置を表す位置情報をスピーカ装置３０に出力する。
【００４７】
例えば、人が検出範囲Ｓｐ内にやってくると、検出部３２ｐは、検出範囲Ｓｐ内にいる人を検出し、人を検出したことを表す検出情報と、自身が設けられている位置に対応する位置Ｐを表す位置情報とをスピーカ装置３０に出力する。検出部３２ｐから検出情報と位置情報とが出力されると、スピーカ装置３０は、駆動部によって、その位置情報が表す位置Ｐに移動される。そして、スピーカ装置３０は、検出範囲Ｓｐ内にいる人の近傍で、音声データに応じた音声を放音する。
また、検出範囲Ｓｐ内にいた人が移動して、検出範囲Ｓｑ内に入ると、今度は、検出部３２ｑが、検出範囲Ｓｑ内にいる人を検出し、人を検出したことを表す検出情報と、自身が設けられている位置に対応する位置Ｑを表す位置情報とをスピーカ装置３０に出力する。検出部３２ｑから検出情報と位置情報とが出力されると、スピーカ装置３０は、駆動部によって、その位置情報が表す位置Ｑに移動される。そして、スピーカ装置３０は、検出範囲Ｓｑ内にいる人の近傍で、音声データに応じた音声を放音する。
これにより、スピーカ装置３０が、人の移動に応じて移動しながら、音声データに応じた音を放音することができるため、人に対してより積極的に音声の提供を行うことができる。
【００４８】
また、この変形例では、人の位置を給電レール４０に設けられた複数の検出部３２で検出して、検出した位置にスピーカ装置３０を移動させていたが、スピーカ装置３０が人の位置に応じて移動すれば、その他の方法であってもよい。例えば、スピーカ装置３０に設けられた検出部３２が、自装置から人体がいる位置までの距離を測定し、測定した距離を表す距離情報を出力し、スピーカ装置３０が、検出部３２から出力された距離情報が表す距離だけ、周回するベルトによって移動されてもよい。この方法であっても、人の移動に応じて移動しながら、音声データに応じた音を放音することができる。
【００４９】
（４）上述した実施形態において、検出部３２は、検出範囲内に人体がいるか否かを検出していたが、検出部３２が、検出範囲内にいる人体の数（人数）を検出して、検出した人数を表す検出情報を集計装置に送信してもよい。この場合、検出部３２は、例えば、検出範囲を撮像し、撮像した画像情報を解析することによって、検出範囲内にいる人の人数を検出する視覚センサであるとよい。この場合、スピーカ装置３０は、検出部３２から出力された検出情報が表す人数が０人であれば、配信装置から配信されて受信部３４によって受信された楽音データに応じた楽音を放音し、検出情報が表す人数が１人以上であれば、記憶部３１の音声データ記憶領域３１ｂに記憶されている音声データに応じた音声を放音する。また、スピーカ装置３０には、検出部３２から出力された検出情報と、検出部３２が人体を検出した時刻を表す時刻情報とを集計装置に送信する送信部が設けられる。
【００５０】
次に、この変形例に係る動作について説明する。例えば、１１：００に検出範囲内に３人の人がいる場合、検出部３２は、検出範囲内に人が「３人」いることを検出し、検出した「３人」という人数を表す検出情報を出力する。検出部３２から検出情報が出力されると、送信部は、その検出情報と、検出部３２が人を検出した時刻を表す「１１：００」という時刻情報と、自装置を識別する識別情報とを集計装置に送信する。続いて、１１：３０に検出範囲内に１人の人がいる場合には、検出部３２は、検出範囲内に人が「１人」いることを検出し、「１人」という人数を表す検出情報を出力する。そして、送信部は、検出部３２から出力された検出情報と、検出時刻を表す「１１：３０」という時刻情報と自装置の識別情報とを集計装置に送信する。
【００５１】
このようにして、集計装置には、各々のスピーカ装置３０から、各スピーカ装置３０の識別情報と、そのスピーカ装置３０の検出範囲にいる人の人数を含む検出情報と、時刻情報とが送信されてくる。集計装置は、例えば予め決められた時間などの所定のタイミングで、送信されてきた情報を集計して、表示装置や印刷装置などに出力する。例えば、集計装置は、各検出時刻における人数をスピーカ装置３０の識別情報毎に集計する。これにより、集計装置を管理する管理者は、各スピーカ装置３０に対応する位置に展示されている絵画の前に、何時に何人の人が集まったかを把握することができ、今後の展示内容の検討などに役立てることができる。
【００５２】
また、このスピーカ装置３０が生鮮食品店の各支店の入り口に設置されている場合には、送信部が、自装置の識別情報と、来店した客の人数を含む検出情報と、時刻情報と、スピーカ装置３０に接続された売上集計装置から送信されてきた売上情報とを集計装置に送信してもよい。これにより、管理者は、各店舗の売り上げと、何時に何人の人が来店したかを把握することができ、各店舗のマーケティングに役立てることができる。
【００５３】
（５）上述した実施形態において、スピーカ装置３０の受信部３４は、電力線を介して供給される電力に重畳された楽音データを抽出した後、この楽音データの宛先となるＩＰアドレスが記憶部３１のＩＰアドレス記憶領域３１ａに記憶されているＩＰアドレスと一致する場合には、抽出した楽音データをデータバッファ３５に供給していた。これに対し、スピーカ装置３０の受信部３４は、まず、電力線を介して供給される電力に重畳された楽音データの宛先となるＩＰアドレスを検出し、検出したＩＰアドレスが記憶部３１のＩＰアドレス記憶領域３１ａに記憶されているＩＰアドレスと一致する場合には、電力に重畳された楽音データを抽出し、一致しない場合には、電力に重畳された楽音データを抽出しなくてもよい。これにより、スピーカ装置３０において、配信装置１０から自装置宛に配信された楽音データのみが抽出される。
【００５４】
（６）上述した実施形態において、スピーカ装置３０の記憶部３１の音声データ記憶領域３１ｂには、一種類の音声データのみが記憶されていた。これに対し、スピーカ装置３０の記憶部３１の音声データ記憶領域３１ｂに、複数の音声データを記憶させておき、検出範囲内にいる人が辿ってきた移動経路に応じた音声を放音してもよい。
詳細に説明すると、各スピーカ装置３０の検出部３２は、自身の検出範囲内にいる人を検出すると、人を検出したことを表す検出情報を、取得部３３に加えて他のスピーカ装置３０にも出力する。他のスピーカ装置３０から検出情報が出力されると、スピーカ装置３０の取得部３３は、その検出情報を経路情報として記憶する。そして、自装置の検出部３２から人を検出したことを表す検出情報が出力されると、取得部３３は、予め決められている経路情報と音声データとの対応関係に基づいて、記憶している経路情報に応じた音声データを選択し、記憶部３１の音声データ記憶領域３１ｂから読み出す。
【００５５】
例えば、スピーカ装置３０ｂの記憶部３１の音声データ記憶領域３１ｂに、図２に示した絵画Ｐａを見てから絵画Ｐｂを見に来た人に絵画Ｐｂを説明するための音声データと、絵画Ｐｃを見てから絵画Ｐｂを見に来た人に絵画Ｐｂを説明するための音声データとを記憶させる。図２に示した検出範囲Ｓａ内に人がいる場合、スピーカ装置３０ａの検出部３２は、検出範囲Ｓａ内に人がいることを表す検出情報を、スピーカ装置３０ａの取得部３３に加えてスピーカ装置３０ｂ〜ｅにも出力する。スピーカ装置３０ａの検出部３２から検出情報が出力されると、スピーカ装置３０ｂ〜ｅの取得部３３は、その検出情報を経路情報として記憶する。そして、検出範囲Ｓａ内にいた人が移動して、検出範囲Ｓｂ内にやってくると、今後は、スピーカ装置３０ｂの検出部３２が、検出範囲Ｓｂ内にいる人を検出して、人を検出したことを表す検出情報を、スピーカ装置３０ｂの取得部３３に加えて、スピーカ装置３０ａ及びｃ〜ｅに出力する。そして、スピーカ装置３０ｂの取得部３３は、検出範囲Ｓａ内に人がいることを表す経路情報に対応する、絵画Ｐａを見てから絵画Ｐｂを見に来た人に絵画Ｐｂを説明するための音声データであって、見て来た順路に応じて用意されている音声データを選択し、記憶部３１の音声データ記憶領域３１ｂから読み出す。これにより、絵画Ｐａを見てから絵画Ｐｂを見に来た人に対して、今までの順路で見てきた絵を踏まえた説明音声を提供することができる。
【００５６】
（７）上述した実施形態において、スピーカ装置３０は、検出部３２から人を検出したことを表す検出情報が出力された場合には、取得部３３が記憶部３１の音声データ記憶領域３１ｂから読み出した音声データに応じた音声を放音していた。これに対し、スピーカ装置３０は、検出部３２から人を検出したことを表す検出情報が出力された場合には、受信部３４によって受信された楽音データと、取得部３３によって記憶部３１の音声データ記憶領域３１ｂから読み出された音声データとを重ね合わせた音を放音してもよい。この場合、スピーカ装置３０のＤ／Ａ変換部３６は、取得部３３から供給される音声データと、データバッファ３５に記憶されている楽音データとを重ね合わせて、オーディオ信号再生部３７に供給する。これにより、スピーカ装置３０のスピーカ３８から、受信部３４によって受信された楽音データと、取得部３３によって取得された音声データとが重ね合わされた音が放音される。
また、この変形例において、スピーカ装置３０のＤ／Ａ変換部３６は、データバッファ３５に記憶されている楽音データの音量のレベルを低くして、音声データと重ね合わせてもよい。これにより、ＢＧＭが突然途切れるという違和感を与えることなく、音声を提供することができる。
【００５７】
（８）上述した実施形態において、Ｄ／Ａ変換部３６は、データバッファ３５から供給された楽音データ、又は、取得部３３から供給された音声データに所定の信号処理を施してから、アナログ信号に変換してもよい。
【００５８】
（９）上述した実施形態において、記憶部３１には自装置に割り当てられたＩＰアドレスが記憶されており、受信部３４は、電力線を介して供給される電力から抽出された楽音データの宛先となるＩＰアドレスが、記憶部３１に記憶されているＩＰアドレスと一致する場合には、抽出した楽音データをデータバッファ３５に供給していた。これに対し、記憶部３１には、上述したＩＰアドレスに代えて各々のスピーカ装置３０を識別するＩＤなどの識別情報が記憶されていてもよい。この場合、配信装置１０は、楽音データとともに、その配信先のスピーカ装置３０の識別情報を配信する。スピーカ装置３０の受信部３４は、電力線を介して供給される電力から抽出された楽音データとともに配信されてきた識別情報が、記憶部３１に記憶されている識別情報と一致するか否かを判定し、一致する場合には、抽出した楽音データをデータバッファ３５に供給してもよい。
【００５９】
（１０）上述した実施形態において、検出部３２は、所定の検出範囲内にいる人体を検出し、人体を検出したことを表す検出情報を出力していた。これに対し、検出部３２が、周囲の温度を検出して、検出した温度を表す検出情報を出力してもよい。この場合、スピーカ装置３０は、検出部３２から出力された検出情報が表す温度が、火災が発生したときの温度、例えば５０℃以上であるか否かを判断する。そして、検出情報が表す温度が火災が発生したときの温度でなければ、スピーカ装置３０は、配信装置１０から配信された楽音データに応じた楽音を放音し、検出情報が表す温度が火災が発生したときの温度であれば、スピーカ装置３０は、記憶部３１の音声データ記憶領域３１ｂに記憶されている音声データに応じたなどの音声、例えば「火災が発生しました」という音声を放音する。
【００６０】
また、検出部３２は、時刻を検出して、検出した時刻を表す検出情報を出力してもよい。この場合、スピーカ装置３０は、検出部３２から出力された検出情報が表す時刻が、例えば美術館の閉館時刻であるか否かを判断する。そして、検出情報が表す時刻が閉館時刻になっていなければ、スピーカ装置３０は、配信装置１０から配信された楽音データに応じた楽音を放音し、検出情報が表す時刻が閉館時刻になると、スピーカ装置３０は、記憶部３１の音声データ記憶領域３１ｂに記憶されている音声データに応じたなどの音声、例えば「本日は閉館いたしました」という音声を放音する。また、記憶部３１の音声データ記憶領域３１ｂに、閉館時用の楽音を表す楽音データを予め記憶させておき、検出情報が表す時刻が閉館時刻になると、スピーカ装置３０が、記憶部３１の音声データ記憶領域３１ｂに記憶されている楽音データに応じた閉館時用の楽音を放音してもよい。
要するに、検出部３２は、検出対象の状況を検出し、その検出状況に応じた検出情報を出力し、スピーカ装置３０は、検出部３２から出力された検出情報が表す状況に応じたオーディオデータを放音すればよい。
【００６１】
（１１）上述した実施形態では、給電レール４０にスピーカ装置３０が設置されていたが、給電レール４０に設置されるコンテンツ出力装置はこれに限らない。例えば、給電レール４０に表示装置が設置されていてもよい。この場合、配信装置１０からは、表示装置において表示される映像を表す映像データが配信され、そして、表示装置の記憶部には、配信される映像データとは異なる映像データが記憶される。これにより、表示装置には、検出範囲に人がいないときには、サーバから配信された映像データに応じた映像が表示され、検出範囲に人がいるときには、サーバから配信された映像データに応じた映像に代えて、記憶部に記憶されている映像データに応じた映像が表示される。
【００６２】
また、給電レール４０には、情報処理装置が設置されていてもよい。この場合、配信装置１０からは、情報処理装置に処理を実行させるためのプログラムが配信され、そして、情報処理装置の記憶部には、配信されるプログラムとは異なるプログラムが記憶される。これにより、情報処理装置は、検出範囲に人がいないときには、サーバから配信されたプログラムに記載されている処理を実行してその処理結果を出力し、検出範囲に人がいるときには、サーバから配信されたプログラムに記載されている処理に代えて、記憶部に記憶されているプログラムに記載されている処理を実行してその処理結果を出力する。
【００６３】
要は、配信装置からは、コンテンツデータが配信されればよく、コンテンツデータとしてはオーディオデータ、映像データ、コンピュータプログラムなど種々のコンテンツの適用が可能である。そして、配信装置からコンテンツデータが配信される装置は、配信されるコンテンツデータとは異なるコンテンツデータを記憶し、いずれかのコンテンツデータに応じたコンテンツを出力するコンテンツ出力装置であればよい。この場合、同種のコンテンツデータであって異なるものを用意しても（例えば、オーディオデータ同士であって異なる内容のコンテンツ）、異なる種類のコンテンツデータを用意してもよい（例えば、映像データを配信し、所定の状況になったらオーディオデータの放音に切り替えるという制御を行ってもよい）。
【図面の簡単な説明】
【００６４】
【図１】オーディオデータ配信システム１を示す図である。
【図２】スピーカ装置３０が、美術館内のある部屋に設置された様子を示す図である。
【図３】配信装置１０の構成を示す図である。
【図４】配信テーブルＴの一例を示す図である。
【図５】スピーカ装置３０の構成を示す図である。
【図６】スピーカ装置３０の動作を示すフロー図である。
【図７】変形例に係るスピーカ装置３０の構成を示す図である。
【図８】音声データ格納装置５０の構成を示す図である。
【図９】移動可能に取り付けられたスピーカ装置３０を示す図である。
【符号の説明】
【００６５】
１…オーディオデータ配信システム、１０…配信装置、１１…制御部、１２…通信部、１３…表示部、１４…操作部、１５…記憶部、１５ａ…楽音データベース記憶領域、１５ｂ…配信テーブル記憶領域、２０…ＰＬＣ専用アダプタ、３０…スピーカ装置、３１…記憶部、３１ａ…ＩＰアドレス記憶領域、３１ｂ…音声データ記憶領域、３２…検出部、３３…取得部、３４…受信部、３５…データバッファ、３６…Ｄ／Ａ変換部、３７…オーディオ信号再生部、３８…スピーカ、３９…送信部、４０…給電レール、５０…音声データ格納装置、５１…制御部、５２…通信部、５３…記憶部、５３ａ…音声データベース記憶領域。
【図１】
2008304782.tif 000003
【図２】
2008304782.tif 000004
【図３】
2008304782.tif 000005
【図４】
2008304782.tif 000006
【図５】
2008304782.tif 000007
【図６】
2008304782.tif 000008
【図７】
2008304782.tif 000009
【図８】
2008304782.tif 000010
【図９】
2008304782.tif 000011